(57)【要約】毛髪染色剤混合装置が、少なくとも一つのアームおよび開口部を有する容器と、前記容器の周りに配置され、容器のアームを介して前記容器に取り付けられる少なくとも一つの支持部材と、を備える。この支持部材は、容器に移動不能に固定されるか、あるいは、容器に移動自在に連結されて、互いに異なる方向に移動また回転可能であり、これらの２種の方式の組み合わせによって取り付けられる。【選択図】図１
2016508038.tif 000002
【特許請求の範囲】
【請求項１】
少なくとも一つのアームを有する容器と、
前記容器の周りに配置され、管状を呈し、上部と、下部と、前記上部に形成される第１の開口部とを有する少なくとも一つの支持部材と、
を備え、
前記容器は、前記少なくとも一つのアームのうちの一つを介して前記少なくとも一つの支持部材に取り付けられることを特徴とする毛髪染色剤混合容器。
【請求項２】
３つの支持部材を備えることを特徴とする請求項１に記載の毛髪染色剤混合容器。
【請求項３】
前記少なくとも一つの支持部材は、アームをさらに有することを特徴とする請求項１に記載の毛髪染色剤混合容器。
【請求項４】
前記少なくとも一つの支持部材のアームが容器のアームに連結されることを特徴とする請求項３に記載の毛髪染色剤混合容器。
【請求項５】
前記少なくとも一つの支持部材は、前記支持部材の縦方向の中心軸および前記容器の中心軸が互いに平行になるように前記容器に移動不能に固定されることを特徴とする請求項１に記載の毛髪染色剤混合容器。
【請求項６】
前記少なくとも一つの支持部材は、前記容器に移動自在に連結されることを特徴とする請求項１に記載の毛髪染色剤混合容器。
【請求項７】
前記少なくとも一つの支持部材は、前記容器に向かって回転可能であるか、あるいは、容器から遠ざかる方向に回転可能であることを特徴とする請求項６に記載の毛髪染色剤混合容器。
【請求項８】
前記少なくとも一つの支持部材は、前記容器の放射状の軸を中心として回転可能であることを特徴とする請求項６に記載の毛髪染色剤混合容器。
【請求項９】
前記少なくとも一つの支持部材のアームは、容器のアームに形成されるスロットに滑り込まれて収容されることを特徴とする請求項１に記載の毛髪染色剤混合容器。
【請求項１０】
前記少なくとも一つの支持部材は、前記開口部を覆うキャップを有することを特徴とする請求項１に記載の毛髪染色剤混合容器。
【請求項１１】
前記キャップは、道具を収容するために中空の棒中に下方に延設される孔を有することを特徴とする請求項１０に記載の毛髪染色剤混合容器。
【請求項１２】
前記少なくとも一つの支持部材は、その下部に形成される第２の開口部およびこの第２の開口部内に部分的に配置される摩擦パッドをさらに有することを特徴とする請求項１に記載の毛髪染色剤混合容器。
【請求項１３】
前記容器は、注出口をさらに有することを特徴とする請求項１に記載の毛髪染色剤混合容器。
【請求項１４】
前記容器は、凹凸部をさらに有することを特徴とする請求項１に記載の毛髪染色剤混合容器。
【請求項１５】
少なくとも一つのアームを有する容器と、
前記容器の周りに配置され、管状を呈し、上部と、下部と、前記上部に形成される第１の開口部と、支持部材のアームとを有する少なくとも一つの支持部材と、
を備え、
前記少なくとも一つの支持部材のアームは、容器のアームに形成されるスロットに滑り込まれて収容されることを特徴とする毛髪染色剤混合容器。
【請求項１６】
前記支持部材のアームと容器のアームとの間に配置される摺動支持部をさらに有し、前記支持部材のアームは、容器のアームを貫通して支持部材のアームに接触されるピンまたはねじによって正常の位置に支持されることを特徴とする請求項１５に記載の毛髪染色剤混合容器。
【請求項１７】
少なくとも一つのアームを有する容器と、前記容器の周りに配置され、管状を呈し、上部と、下部と、前記上部に形成される第１の開口部と、支持部材のアームとを有する支持部材と、を備え、前記少なくとも一つの支持部材は、前記容器に回転自在に連結されることを特徴とする毛髪染色剤混合容器。
【請求項１８】
前記少なくとも一つの容器のアームは、支持部材のアームの一部に形成される回転部材を有するが、この回転部材は、容器のアームと支持部材のアームとを連結するためのばね、ワッシャおよびピンが収容されるように構成されることを特徴とする請求項１７に記載の毛髪染色剤混合容器。
【請求項１９】
前記支持部材のアームは、容器のアームの所定の孔に収容されるファローワーをさらに有し、前記支持部材のアームは、容器のアームを貫通して支持部材のアームと接触するピンまたはねじによって正常の位置に支持されることを特徴とする請求項１７に記載の毛髪染色剤混合容器。
【請求項２０】
前記少なくとも一つの支持部材は、前記容器に移動不能に固定されることを特徴とする請求項１７に記載の毛髪染色剤混合容器。
【発明の詳細な説明】
【技術分野】
【０００１】
本発明は、容器に係り、さらに詳しくは、毛髪染色剤の調製に用いられる毛髪染色剤混合容器に関する。
【背景技術】
【０００２】
毛髪染色剤の調製は、通常、容器において染料の構成成分を混合することによって行われる。
【０００３】
例えば、一般に、第１および第２の毛髪染色剤をブラシ付き容器において混合する。しかしながら、混合時に力が入るため、容器が動き、上下に揺れてしまう。
【０００４】
この現象は、主として容器の位置が不安定である場合に起こるが、その結果、作業時間が長引き、ブラシに毛髪染色剤が不均一に付いてしまう。
【発明の概要】
【発明が解決しようとする課題】
【０００５】
本発明は、上述した問題を解消するために案出されたものであり、その目的は、少なくとも一つの支持部材を備える毛髪染色剤混合容器を提供することである。
【課題を解決するための手段】
【０００６】
上述した目的を達成するために、本発明の一実施形態による毛髪染色剤混合容器は、（１）少なくとも一つのアームを有する容器と、（２）前記容器の周りに配置される少なくとも一つの支持部材と、を備える。
【０００７】
これらの支持部材は管状を呈し、上部と、下部と、前記上部に形成される第１の開口部と、を有する。
【０００８】
前記容器は、前記アームのうちの一つを介して前記支持部材に取り付けられる。
【０００９】
この実施形態の付属の実施形態において、前記支持部材の縦方向の中心軸および前記容器の中心軸は、互いに平行である。
【００１０】
また、本発明の他の実施形態による毛髪染色剤混合装置は、（１）少なくとも一つのアームを有する容器と、（２）前記容器の周りに配置される少なくとも一つの支持部材と、を備える。
【００１１】
これらの支持部材は管状を呈し、上部と、下部と、前記上部に形成される第１の開口部と、支持部材のアームと、を有する。
【００１２】
一実施形態において、少なくとも一つの支持部材は、前記容器に移動不能に連結される。
【００１３】
他の実施形態において、少なくとも一つの支持部材は、前記容器に移動自在に連結される。
【００１４】
前記支持部材は、容器のアームに対して、摺動、回転またはその他の位置変更が可能である。
【００１５】
他の実施形態において、少なくとも一つの支持部材は、前記容器の放射状の軸を中心として回転する。
【００１６】
さらに他の実施形態において、少なくとも一つの支持部材のアームは、前記容器に向かって、且つ、容器から遠ざかる方向に摺動可能である。
【発明の効果】
【００１７】
このような本発明は、第１および第２の毛髪染色剤を混合する過程において、混合容器が支持部材によって強固に中心をとって固定されることから、容器が揺れたり倒れたりせずに安定した混合動作を行うことができ、しかも、毛髪染色剤が均一になるというメリットを提供する。
【００１８】
また、本発明による混合容器は、手軽に積載および保管可能であり、しかも、空間を占めなくなる。
【図面の簡単な説明】
【００１９】
【図１】本発明による容器に移動不能に固定された３つの支持部材を有する実施形態の斜視図である。
【図２】本発明による容器に移動自在に連結された３つの支持部材を有する実施形態の斜視図である。
【図３】本発明による容器に移動自在に連結された３つの支持部材を有する実施形態の他の斜視図である。
【図４】本発明による支持部材用キャップの一形態の斜視図である。
【図５】本発明による支持部材用キャップの他の形態の斜視図である。
【図６】本発明の一実施形態による容器に移動自在に連結された支持部材用構成要素の分解図である。
【図７】本発明による平面に置かれている支持部材の実施形態を示す断面図である。
【図８】本発明による容器に移動不能に固定された２つの支持部材を有する実施形態の斜視図である。
【図９】本発明による容器に移動自在に連結された２つの支持部材を有する実施形態の斜視図である。
【図１０】本発明による容器に移動自在に連結された２つの支持部材と移動不能に固定された一つの支持部材を有する実施形態の斜視図である。
【図１１ａ】本発明による支持部材が容器のアームおよび当該器具の構成要素に滑り込まれて収容される実施形態の斜視図である。
【図１１ｂ】図１１ａに示す実施形態によるアーム部材の拡大図である。
【図１２】支持部材が容器に移動自在に連結された実施形態を示す斜視図である。
【図１３】本発明の一実施形態により４つの毛髪染色剤容器を上下に積み重ねたことを示す斜視図である。
【図１４】本発明による追加的な特徴および道具を示す一実施形態の斜視図である。
【図１５】本発明によるキャップの追加的な特徴を示すためにキャップを取り外した状態のアーム部材の斜視図である。
【図１６】本発明による一つの固定されたアーム部材を有する容器を示す一実施形態の斜視図である。
【図１７】本発明による一つの可動アーム部材を有する容器を示す一実施形態の斜視図である。
【発明を実施するための形態】
【００２０】
本発明の実施形態は、改善された安定性、効率よい混合時間および各ブラシに染色剤の中身をより均一に付着させる機能を有する毛髪染色剤混合容器を開示している。
【００２１】
容器に連結された少なくとも一つの支持部材によって安定性が増大される。
【００２２】
一つ以上の支持部材を有することによって、平面の上に容器そのものが浮かび上がった状態でこの装置を平面の上に置くことが可能になる。このような構造によって、混合時に入る力が混合容器を過度に揺らさず、混合過程の邪魔にならない。
【００２３】
一部の実施形態において、一つ以上の支持部材が容器に対して移動可能であるか、あるいは、これを容器から取り外すことができて積載しやすく、空間が省かれる。
また、各支持部材には、毛髪染色剤成分剤（ｉｎｇｒｅｄｉｅｎｔ）などの固体／液体の中身を入れることができる。
【００２４】
容器そのものの大きさは、通常、毛髪染色剤混合物を製造するのに必要な所定の量の成分剤を入れるのに適した任意の大きさである。また、容器は、液体の中身を排出するための追加的機能（例えば、注出口）を有するが、本発明はこれに何ら限定されない。
【００２５】
さらに、道具を掃除するための追加的機能（例えば、ブラシを掃除するための凹凸部）を有する。
【００２６】
最後に、容器は、染色剤成分剤に否定的に反応する限り、あるいは、その目的を妨げない限り、いかなる材料によっても製作可能である。
【００２７】
一実施形態において、毛髪染色剤混合装置は、
（１）少なくとも一つのアームを有する容器と、（２）前記容器の周りに配置される少なくとも一つの支持部材と、を備えるが、これらの支持部材は、管状を呈し、上部と、下部と、前記上部に形成される第１の開口部と、を有する。
【００２８】
一部の実施形態において、毛髪染色剤混合装置は、２つの支持部材を有する。
【００２９】
好適な実施形態において、この装置は、３つの支持部材を有する。
【００３０】
しかしながら、この実施形態においては、特に、支持部材を追加することによって所望の目的における審美的、器具的、その他の機能的な利得がある限り、支持部材を追加することも考えられる。
【００３１】
例えば、平らではない平面にこの装置を置く場合には、支持部材を追加することが好ましい。また、多数の支持部材には非常に様々な種類の混合成分剤だけではなく、各種の道具を保管することができる。
【００３２】
支持部材は、容器のアームを介して容器に取り付けられる。
【００３３】
一部の実施形態において、また、支持部材は、それ自体のアームを有するが、この支持部材のアームは、容器のアームに連結される。他の実施形態においては、支持部材にアームがない。
【００３４】
一部の実施形態においては、少なくとも一つの支持部材が移動不能に容器に固定される。
【００３５】
このような実施形態においては、支持部材が支持部材のアームなしに容器のアームに連結されることが好ましい。
【００３６】
一部の場合には、容器と支持部材を平行にする構造が審美的および／または機能的に好ましい。すなわち、前記支持部材の縦方向の中心軸および前記容器の中心軸が互いに平行になるように、前記容器が前記支持部材に固定される。
【００３７】
一部の場合には、前記支持部材の縦方向の中心軸および前記容器の中心軸が正確な平行ではないように、前記支持部材が前記容器に対して傾くように設けられる。
【００３８】
一部の実施形態において、少なくとも一つの支持部材は移動自在に容器に連結される。すなわち、支持部材は、容器に対してその位置／構成形態が変更される。このような実施形態においては、支持部材がアームを有することが好ましい。
【００３９】
一実施形態において、支持部材は、容器と支持部材との間に配置される回転点（ｐｉｖｏｔ  ｐｏｉｎｔ）によって、前記容器に向かって回転可能であるか、あるいは、容器から遠ざかる方向に回転可能である（図２、図３参照）。これにより、この容器を保管するとき、または、限られた可用平面上において作業するときにこの装置が占める空間を狭めることができる。
【００４０】
他の実施形態において、支持部材は、前記容器の放射状の軸を中心として回転可能である。換言すると、容器は、停止している状態で支持部材が３６０°回転可能である。
【００４１】
同様に、このような構造によってこの装置の保管を管理するための、あるいは、各支持部材にある中身を混合するための構成形態が変更可能である。
【００４２】
さらに他の実施形態において、支持部材は、摺動器具を用いて容器に向かって、または、容器から遠ざかる方向に摺移可能である。
【００４３】
このような実施形態において、少なくとも一つの支持部材のアームは、容器のアームの所定のスロットに滑り込まれて収容される。
【００４４】
また、これは、保管時または作業時に所要の空間が狭まるメリットだけではなく、平らではない平面に対するメリットになる。
【００４５】
上述したように、支持部材による安定性の増大が本発明の有用な特徴となる。
【００４６】
毛髪染色剤混合装置が置かれる平面の上に容器が浮かび上がる状態で平面に一つ以上の支持部材を接触させることが好ましい（例示的に、図７を参照すること）。
【００４７】
このため、好適な実施形態においては、支持部材の高さが容器のそれよりも高い。
【００４８】
また、安定性の増大のために、支持部材には、この装置が置かれる平面に接触する下部に取り付けられる摩擦パッドが備えられる。
【００４９】
摩擦パッドは、容器内において中身が混合される間にこの装置が水平に動くことを阻止する摩擦力をさらに提供する。
【００５０】
摩擦パッドは、底面を向く側の支持部材の下部に形成された穴（第２の開口部）にはめ込まれるストッパである。
【００５１】
支持部材は、中身を保管するに当たって中身が注出されないように、あるいは、大気に長時間露出されて脱水または変質されないようにすることが好ましい。
【００５２】
このために、各支持部材には、支持部材の貯蔵空間に形成された開口部を覆うキャップが備えられることが好ましい。
【００５３】
他の方式として、支持部材に重い中身を入れて装置全体を押下して安定性を増大させてもよい。固体にせよ、液体にせよ、支持部材を適切に押下可能である限り、いかなる中身でも支持部材に入れることができる。
【００５４】
また、一実施形態において、少なくとも一つのキャップには、ヘアブラシなどの道具を収容する孔が備えられる。
【００５５】
このため、支持部材には中身が入れられるだけではなく、キャップを介して支持部材の内部に道具を入れることができる。
【００５６】
キャップについては広く知られており、ねじ状またはストッパ状に製作可能である。キャップを置き間違えたり失ったりしないように支持部材に連結してもよい。
【００５７】
以下、本発明の実施形態について図面および詳細な説明によってより具体的に説明する。以下の記載内容は、いかなる形態であれ、本発明の実施形態の範囲を制限するために意図されたものではない。
【００５８】
図１に示す混合容器装置において、容器２には容器のアーム８を介して３つの支持部材４が連結される。各支持部材にはキャップ６および摩擦パッド１０が備えられる。支持部材４は、容器２に移動不能に固定される。
【００５９】
図２の実施形態においては、３つの支持部材４が容器のアーム８および支持部材のアーム１２を介して容器２に連結される。各支持部材は、キャップ６および摩擦パッド１０を有する。支持部材４は容器２に移動自在に連結されて、横に円弧経路に沿って回転自在である。
【００６０】
図３に示す装置は、図２の実施形態と同じものであり、支持部材４が容器２に向かってどのように回転可能であるかをより具体的に示すためのものである。
【００６１】
キャップの可用形態について図４および図５に例示されている。
【００６２】
図４において、支持部材４の上部に開口部７（第１の開口部）がある。
この開口部には、ストッパを有するキャップ６が覆われている（または、はめ込まれている）。
【００６３】
また、キャップ６は、連結子９を介して支持部材４の開口部７に取り付けられる。
【００６４】
図５は、支持部材４の開口部７にキャップ６が覆われるが、支持部材４の上に螺着されることを示す。
【００６５】
図６は、支持部材４が横に回転可能な、図２および図３に示す組立体と同じ（しかしながら、必ずしも同じであるとは限らない）実施形態に対する支持部材／容器の連結関係について詳細に示している。
【００６６】
図中、回転部材１４が容器のアームから突出され、支持部材のアーム１２の一部に形成された穴を通過する。
【００６７】
この回転部材１４は、ばね１６、ワッシャ１８、ピンまたはボルト２０によって載置される。
【００６８】
また、摩擦パッド１０が支持部材４の下部に形成された穴１１（第２の開口部）に部分的にはめ込まれる。上部の開口部（図示せず）にはねじ式キャップ６が覆われる。
【００６９】
図７は、支持部材４が摩擦パッド１０を間に挟んで平面の上に接触されており、容器２は平面から浮かび上がるように平面に置かれる装置の断面図である。同様に、各支持部材４にはキャップ６が覆われている。
【００７０】
図８および図９は、毛髪染色剤容器装置が２つの支持部材を有する実施形態を示す。
【００７１】
図８において、２つの支持部材４が容器のアーム８に移動不能に固定され、キャップ６および摩擦パッド１０がある。
【００７２】
これに対し、図９の支持部材４は、容器のアーム８および支持部材のアーム１２を介して、容器２に移動自在に連結される。ここで、図支持部材４は、キャップ６を有する。
図１０は、２つの支持部材４は容器２に移動自在に連結され、一つの支持部材４は移動不能に固定される混性型装置を示している。
【００７３】
この特定の例において、不動の支持部材４は容器のアーム８に直接的に固定されるのに対し、可動の支持部材４は容器のアーム８に連結される支持部材のアーム１２を有する。全ての支持部材には摩擦パッド１０およびキャップ６が備えられる。
【００７４】
図１１ａに示す装置は、可動の支持部材の他の例を示す。
【００７５】
ここで、各支持部材４は、容器のアーム８の内側および外側に摺動自在に変形された支持部材のアーム２２を有する。
【００７６】
図１１ｂは、この支持部材４の拡大図である。
【００７７】
容器のアーム８は、摺動支持部２４および変形された支持部材のアーム２２を収容できるように形成された開口部を有する。
【００７８】
支持部材４は、ピンまたはボルト／ねじ２８によって正常の位置に固定されるが、このピン２８は、摺動支持部２４を貫通する穴（図示せず）、変形された支持部材のアームを貫通する穴２６および容器のアーム８の穴を貫通する。
【００７９】
ピンまたはボルト／ねじは、リベット（または、ナットなど）またはその他の適切な締付器具によって載置されることが好ましい。なお、各支持部材４には摩擦パッド１０およびキャップ６がある。
【００８０】
可動の支持部材を有する装置の他の例として、図１２は、容器２の放射状の軸を中心として回転可能な支持部材４を示す。
【００８１】
同図において、支持部材のアーム１２は、その頂点部にファローワー（ｆｕｒｒｏｗｅｒ）３２を有するが、このファローワーは、このファローワーが収容可能な開口部が形成されている容器のアーム８にはめ込まれる。
【００８２】
支持部材４は完全に回転可能でありながらも、容器のアーム８を貫通して支持部材のアーム１２と接触するピン（または、ボルト／ねじ）３６によって正常の位置に固定される。
【００８３】
同図に示すように、全ての支持部材４にはキャップ６および摩擦パッド１０があり、互いに異なる平面を指しながら回転する。
【００８４】
複数の装置を一緒に保管するときに空間が省かれるように設計可能である。
【００８５】
図１３は、それぞれ３つの不動の支持部材４を有する４台の装置を上下に手軽に積み重ねる例を示している。この例において、容器２が嵌合されて空間を節減している。
【００８６】
図１４は、支持部材４が、孔４４付きキャップ６を有する実施形態を示す。
【００８７】
このキャップ孔４４は道具を入れるために使用可能である。同図に示すように、便宜上、キャップ孔４４にブラシ４０を入れることができる。
【００８８】
また、この実施形態においては、染色剤混合物などの液体を手軽に排出するための注出口４６が容器に形成されている。
【００８９】
さらに、この容器２には、ブラシ４０やその他の道具を引っ掻いたり掃除したりするための凹凸部４２を形成してもよい。この凹凸部４２をこの装置の他の位置に形成してもよい。
【００９０】
図１５は、支持部材４からキャップ６が取り外された状態を示すものであり、中空棒５が支持部材４の開口部７を介してその中に入るように延設されている。
【００９１】
この実施形態において、キャップ６は、道具の少なくとも一部（例えば、ブラシの絵柄）がキャップ孔４４を介してこの中空棒５内に収容されるように設計される。
【００９２】
一部の実施形態において、この支持部材４は、支持部材のアーム１２および摩擦パッド１０を有する。
【００９３】
最後に、図１６および図１７は、一つの支持部材が備えられた装置の別の実施形態を示している。
【００９４】
図１６において、支持部材４は、容器のアーム８に移動不能に固定され、図１７において、支持部材４は、支持部材のアーム１２および容器のアーム８を介して容器２に移動自在に連結される。
【００９５】
両図において、支持部材には、キャップ６と、道具を入れる孔４４と、安定性を増大させるための摩擦パッド１０がある。
【００９６】
以上の記載内容は実施形態の原理を説明するためのものに過ぎない。また、当業者であれば、様々な変形および変更を容易に行うことができるため、この明細書および図面は例示的なものに過ぎず、実施形態の真の範囲および思想は付属する特許請求の範囲によって定められる。
【図１】
2016508038.tif 000003
【図２】
2016508038.tif 000004
【図３】
2016508038.tif 000005
【図４】
2016508038.tif 000006
【図５】
2016508038.tif 000007
【図６】
2016508038.tif 000008
【図７】
2016508038.tif 000009
【図８】
2016508038.tif 000010
【図９】
2016508038.tif 000011
【図１０】
2016508038.tif 000012
【図１１ａ】
2016508038.tif 000013
【図１１ｂ】
2016508038.tif 000014
【図１２】
2016508038.tif 000015
【図１３】
2016508038.tif 000016
【図１４】
2016508038.tif 000017
【図１５】
2016508038.tif 000018
【図１６】
2016508038.tif 000019
【図１７】
2016508038.tif 000020
【国際調査報告】
2016508038.tif 000021
2016508038.tif 000022
2016508038.tif 000023
2016508038.tif 000024